(57)【要約】【課題】蛍光ランプから発生される熱を外部の空間へ逃がしやすいソケット装置を提供する。【解決手段】本発明に係るソケット装置１００は、蛍光ランプ２００が取り付けられる本体部１１０と、前記本体部１１０の下面に形成された、前記蛍光ランプ２００の点灯回路が収容されている点灯回路部２１０が嵌め込まれる、嵌込凹部１７０と、前記本体部１１０の内部に形成された、前記蛍光ランプ２００のピン電極２３０と電気的に接触する、接触金具１８０と、を有する。前記本体部１１０の上面には、前記本体部１１０と設置面７１０との間を離隔する、離隔部３００が形成される。【選択図】図１
2009199844.tif 000002
【特許請求の範囲】
【請求項１】
蛍光ランプが取り付けられる、本体部と、
前記本体部の下面に形成された、前記蛍光ランプの点灯回路が収容されている点灯回路部が嵌め込まれる、嵌込凹部と、
前記本体部の内部に形成された、前記蛍光ランプのピン電極と電気的に接触する、接触金具と、
前記本体部の上面に形成された、前記本体部と設置面との間を離隔する、離隔部と、を有する、
ことを特徴とするソケット装置。
【請求項２】
前記本体部の上面に、電源供給用の電線を挿入する一対の電線挿入孔を有する、
ことを特徴とする請求項１記載のソケット装置。
【請求項３】
前記電線挿入孔は、前記本体部の上面から略垂直方向に突出して形成された管状体である、
ことを特徴とする請求項２記載のソケット装置。
【請求項４】
前記一対の電線挿入孔は、前記本体部の上面に、少なくとも２組形成されている、
ことを特徴とする請求項２又は３記載のソケット装置。
【請求項５】
前記本体部の下面に、前記ソケット装置を前記設置面に取り付けるための取付部材を挿入する、挿入孔を有する、
ことを特徴とする請求項１乃至４の何れか１項に記載のソケット装置。
【請求項６】
前記挿入孔は、前記本体部の下面に同心円上に均等に複数配置して設けられている、
ことを特徴とする請求項５記載のソケット装置。
【請求項７】
前記離隔部は、一対の壁状体である、
ことを特徴とする請求項１乃至６の何れか１項に記載のソケット装置。
【発明の詳細な説明】
【技術分野】
【０００１】
本発明は、蛍光ランプを取り付けるためのソケット装置に関する。
【背景技術】
【０００２】
室内空間を広く利用する等のために、室内を照らす蛍光ランプを取り付けるソケット装置には薄型化が要請される。
【０００３】
薄型のソケット装置としては、特許文献１に記載されているものがある。この文献に開示されたソケット装置は、蛍光ランプを取り付けるためのソケット部と、本体部と、を有する。そして、本体部には、点灯回路が収容されている収容部を収容するスペースと、天井等の設置面より突出した電源線を収容するスペースと、が設けられている。
【０００４】
【特許文献１】特開２００７−００５１９３号公報
【０００５】
しかし、この文献に開示されたソケット装置では、光源の熱が設置面に伝わることで、設置面が変色することがあった。
【発明の開示】
【発明が解決しようとする課題】
【０００６】
本発明は上述の問題に鑑みてなされたものであり、設置面の変色が起こりにくいソケット装置を提供することを目的とする。また、蛍光ランプから発生する熱を外部空間へ逃がしやすいソケット装置を提供することを目的とする。
【課題を解決するための手段】
【０００７】
上記目的を達成するため、この発明の第１の観点に係るソケット装置は、
蛍光ランプが取り付けられる、本体部と、
前記本体部の下面に形成された、前記蛍光ランプの点灯回路が収容されている点灯回路部が嵌め込まれる、嵌込凹部と、
前記本体部の内部に形成された、前記蛍光ランプのピン電極と電気的に接触する、接触金具と、
前記本体部の上面に形成された、前記本体部と設置面との間を離隔する、離隔部と、を有する、ことを特徴とする。
【０００８】
また、前記本体部の上面に、電源供給用の電線を挿入する一対の電線挿入孔を有する、ことも可能である。
【０００９】
また、前記電線挿入孔は、前記本体部の上面から略垂直方向に突出して形成された管状体である、ことも可能である。
【００１０】
また、前記一対の電線挿入孔は、前記本体部の上面に、少なくとも２組形成されている、ことも可能である。
【００１１】
また、前記本体部の下面に、前記ソケット装置を前記設置面に取り付けるための取付部材を挿入する、挿入孔を有する、ことも可能である。
【００１２】
また、前記挿入孔は、前記本体部の下面に同心円上に均等に複数配置して設けられている、ことも可能である。
【００１３】
また、前記離隔部は、一対の壁状体である、ことも可能である。
【発明の効果】
【００１４】
本発明に係るソケット装置は、蛍光ランプから発生される熱を外部の空間へ逃がしやすい。
【発明を実施するための最良の形態】
【００１５】
（実施形態１）
本実施形態に係るソケット装置１００は、図１に示すように、本体部１１０と、嵌込凹部１７０と、接触金具１８０と、離隔部３００と、を有する。
【００１６】
ソケット装置１００は、例えば天井や壁等の設置面７１０に設置される。ソケット装置１００はＧＸ５３と称されるソケットを有し、本体部１１０には蛍光ランプ２００が取り付けられる。
【００１７】
蛍光ランプ２００は、ハウジング２２０と、一対のピン電極２３０と、点灯回路が収容されている２１０と、を有する。ハウジング２２０内には蛍光管が収納されており、蛍光管からの光りを透光させやすいようにガラス又はアクリル樹脂の照明カバーを有する。
【００１８】
嵌込凹部１７０は、本体部１１０の下面（表面）に形成されている。嵌込凹部１７０には、矢印Ｓで示されるように、点灯回路部２１０が嵌め込まれる。
【００１９】
接触金具１８０は、本体部１１０の内部に設けられている。ピン電極２３０がピン電極挿入孔１８１から挿入されると、接触金具１８０と電気的に接触する。
【００２０】
本体部１１０の上面（裏面）には、離隔部３００が形成されている。離隔部３００は、本体部１１０と設置面７１０との間を距離ｄだけ離隔する。そのため、たとえソケット装置１００に取り付けられる蛍光ランプ２００が高熱になったとしても、その熱は設置面７１０に伝わりにくい。そのため、設置面７１０の変色が起こりにくい。
【００２１】
（実施形態２）
本実施形態に係るソケット装置１００は、図２に示されるように、略円筒形状の本体部１１０の上面の端部に、一対の離隔部３００ａ，３００ｂを有している。一対の離隔部３００ａ，３００ｂは、それぞれ、円弧状の壁状体である。
【００２２】
離隔部３００ａと３００ｂとの間には、隙間部３０１，３０２が形成されている。隙間部３０１，３０２から蛍光ランプ２００の熱が放熱されることで、蛍光ランプ２００の熱が設置面７１０に到達しにくい。
【００２３】
図３（ａ）に示されるように、本体部１１０の上面には、電源供給用の電線が挿入される一対の電線挿入孔６１０，６２０が形成される。電源供給用の電線は二つ用意され、一方が電線挿入孔６１０に挿入され、他方が電線挿入孔６２０に挿入される。電線挿入孔６１０，６２０に挿入された電源供給用の電線は、図３（ａ）のＡ−Ａ断面図である図３（ｂ）に示される接触金具１８０と電気的に接触する。なお、図３（ａ）では、理解促進のために一対の離隔部３００ａ，３００ｂは斜線で記載されている。
【００２４】
図２及び図３（ａ）に示されるように、電線挿入孔６１０，６２０は、本体部１１０の上面から略垂直方向に突出して形成された管状体である。電線挿入孔６１０，６２０の高さと、離隔部３００ａ，３００ｂの高さと、は同じである。即ち、電線挿入孔６１０，６２０の上端部と、離隔部３００ａ，３００ｂの上端部と、は同一平面上にある。
【００２５】
天井等の設置面７１０から引き出される電源供給用の電線は、この管状体で形成された電線挿入孔６１０，６２０に挿入されることで、垂直方向に配線される。電線挿入孔６１０，６２０に挿入された電源供給用の電線は、図示されていないクリップバネにより付勢されて固定されている。
【００２６】
電源供給用の電線を設置面７１０に平行に配線するならば電源供給用の電線は、例えば０．５〜０．６ｍｍ程度の細い管径の電線しか使えない。しかしながら、本実施形態のように、電源供給用の電線を設置面７１０に垂直に配線できるように構成することで、例えば２．０ｍｍ程度の太い管径の電線を用いることもできる。
【００２７】
電線挿入孔６１０，６２０に挿入された電源供給用の電線は、それぞれ操作部６３０，６３１を例えばドライバー等で押圧することで、電源供給用の電線を固定していたクリップバネの付勢力が解除され、簡単に電源供給用の電線を電線挿入孔６１０，６２０から引き出すことができる。
【００２８】
図４（ａ）及び図４（ａ）のＢ−Ｂ断面図である図４（ｂ）に示されるように、本体部１１０の下面には、ソケット装置１００を設置面７１０に取り付けるための取付部材を挿入する、挿入孔１４０が形成されている。
【００２９】
挿入孔１４０は複数形成されており、本実施形態では６個設けられている。挿入孔１４０は、本体部１１０の下面に同心円上に均等に配置されている。
【００３０】
図５に示されるように、ソケット装置１００を設置面７１０に設置する際には、まず、本体部１１０に形成されている挿入孔１４０と、設置面７１０に形成されている設置孔７２０と、を位置合わせする。その後、取付部材としてのビス１９０を、本体部１１０の下面側から挿入孔１４０に挿入させ、さらにビス１９０の先端部を設置孔７２０にも挿入させることにより、本体部１１０を設置面７１０に設置する。
【００３１】
挿入孔１４０が本体部１１０の下面に同心円上に均等に配置されているから、本体部１１０を回転させることにより、容易に、挿入孔１４０と設置孔７２０との位置合わせを行うことができる。そのため、ソケット装置１００を設置面７１０に設置する手間がかかりにくい。
【００３２】
本体部１１０の下面には、一対のピン電極２３０が挿入される達磨孔１３０が点対称の位置に形成されている。ピン電極２３０は、頭の部分つまり先端部が平面の円板状であり、胴体部分は円筒形状である。達磨孔１３０は、ピン電極２３０の頭の部分を挿入して回転させることで、蛍光ランプ２００の落下防止用及び電気的な接点の位置決め孔として機能する。
【００３３】
（実施形態３）
ソケット装置１００には、一対の電線挿入孔６１０，６２０以外に、本体部１１０の上面に、もう一つの一対の電線挿入孔６１１，６２１が形成されている。この電線挿入孔６１１，６２１を用いることで、ソケット装置１００を、多灯式配線に適用することも可能である。
【００３４】
実施形態３に係るソケット装置１００ａ，１００ｂは、図６に示されるように、並列して形成されており、多灯式配線を形成している。電線８１１はソケット装置１００ａの電線挿入孔６２０に挿入され、電線８１２はソケット装置１００ａの電線挿入孔６１０に挿入される。そして、電線８１３が、ソケット装置１００ａの電線挿入孔６１１と、ソケット装置１００ｂの電線挿入孔６２１と、に挿入される。また、電線８１４がソケット装置１００ｂの電線挿入孔６６１１に挿入される。これにより、ソケット装置１００ａ及び１００ｂは、多灯式配線を形成し、例えば室内をより明るく照らすことが可能となる。
【００３５】
なお、本実施形態では、ソケット装置１００を２個使用した多灯式配線を示したが、このような実施形態に限定されるものではなく、ソケット装置１００を３個以上使用する多灯式配線を構成することも可能である。
【００３６】
（実施形態４）
上述の実施形態では、一対の離隔部３００ａ，３００ｂが、本体部１１０の上面に形成されていた。もっとも、このような実施形態に限定されない。
実施形態４に係るソケット装置１００では、図７に示されるように、一対の離隔部３００ａ，３００ｂと、また別の一対の離隔部３００ｃ，３００ｄとが、本体部１１０の上面に形成されている。なお、図７では、理解促進のために、離隔部３００ａ，３００ｂ，３００ｃ，３００ｄは斜線で記載されている。
【００３７】
離隔部３００ａと３００ｄとの間には、隙間部３０３が形成されている。離隔部３００ａと３００ｃとの間には、隙間部３０４が形成されている。離隔部３００ｂと３００ｃとの間には、隙間部３０５が形成されている。離隔部３００ｂと３００ｄとの間には、隙間部３０６が形成されている。そして、隙間部３０３，３０４，３０５，３０６から蛍光ランプ２００の熱が放熱されることで、蛍光ランプ２００の熱が設置面７１０に到達しにくい。
【００３８】
また、ソケット装置１００を設置面７１０に設置させる際、離隔部３００ａ，３００ｂ，３００ｃ，３００ｄが設置面７１０と接する。そのため、ソケット装置１００を安定して設置面７１０に設置することができる。
【００３９】
なお、本実施形態では、離隔部３００は、３００ａ，３００ｂ，３００ｃ，３００ｄと、４つ、形成されたが、３つ若しくは５つ以上形成することも可能である。また、離隔部３００は、本実施形態のように、均等に本体部１１０の上面に形成されることに限定されることはなく、不均一に形成することも可能である。
【００４０】
（実施形態５）
上述の実施形態では、電線挿入孔６１０，６２０の高さと、離隔部３００ａ，３００ｂの高さと、は同じであった。もっとも、このような実施形態に限定されない。
【００４１】
実施形態５に係るソケット装置１００では、図８に示されるように、離隔部３００ａ，３００ｂの高さは、電線挿入孔６１０，６２０の高さよりも、高く構成される。離隔部３００ａ，３００ｂの高さが、電線挿入孔６１０，６２０の高さよりも高く構成されるから、隙間部３０１，３０２より、蛍光ランプ２００の熱をより放熱させやすくできる。
【００４２】
（その他の実施形態）
上述の実施形態では、離隔部３００は壁状体で形成されたが、離隔部３００の形状はこのような形状に限定されるものではなく、例えば立方体、直方体、円柱体等の種々の形状を採用することができる。
【００４３】
また、上述の実施形態では、壁状体で形成された離隔部３００は、本体部１１０の上面の端部に形成されたが、このような実施形態に限定されるものではなく、離隔部３００は、本体部１１０の上面の端部以外の場所にも形成することは可能である。
【００４４】
また、ソケット装置１００の本体部１１０の側壁面に突起部を設けるとともに、蛍光ランプ２００の点灯回路部２１０の側壁面にＪ字状の溝を設けることで、蛍光ランプ２００がソケット装置１００からはずれることを防止する、はずれ防止機構を形成することも可能である。
【図面の簡単な説明】
【００４５】
【図１】実施形態１に係るソケット装置と、そのソケット装置に取り付けられる蛍光ランプと、を説明する図である。
【図２】実施形態２に係るソケット装置の斜視説明図である。
【図３】実施形態２に係るソケット装置を説明する図であり、そのうち（ａ）は上方から説明する平面図であり、（ｂ）はその平面図のＡ−Ａ線での断面図である。
【図４】実施形態２に係るソケット装置を説明する図であり、そのうち（ａ）は下方から説明する平面図であり、（ｂ）はその平面図のＢ−Ｂ線での断面図である。
【図５】実施形態２に係るソケット装置と、そのソケット装置に取り付けられる蛍光ランプと、を設置面に取り付けるようすを説明する図である。
【図６】実施形態３に係るソケット装置を説明する図であり、ソケット装置が並列に配置されている構造を説明する図である。
【図７】実施形態４に係るソケット装置を説明する図であり、離隔部が４つ形成されていることを示す図である。
【図８】実施形態５に係るソケット装置を説明する図であり、離隔部の高さが高く形成されていることを示す図である。
【符号の説明】
【００４６】
１００    ソケット装置
１１０    本体部
１３０    達磨孔
１４０    挿入孔
１７０    嵌込凹部
１８０    接触金具
１８１    ピン電極挿入孔
１９０    ビス
２００    蛍光ランプ
２１０    点灯回路部
２２０    ハウジング
２３０    ピン電極
６１０    電線挿入孔
６２０    電線挿入孔
６３０    操作部
６３１    操作部
３００    離隔部
７１０    設置面
７２０    設置孔
【図１】
2009199844.tif 000003
【図２】
2009199844.tif 000004
【図３】
2009199844.tif 000005
【図４】
2009199844.tif 000006
【図５】
2009199844.tif 000007
【図６】
2009199844.tif 000008
【図７】
2009199844.tif 000009
【図８】
2009199844.tif 000010